(57)【要約】【課題】    止水性能を十分に確保し、かつ外観意匠性にも優れたサッシ窓を提供すること。【解決手段】縦枠体１３が見込み方向室外側に延びる見込み片部２３１と、外壁躯体２の室外面に沿って延びる固定片部２３２と、見込み片部２３１に連続して見付け方向内側に延びる見付け片部２３３と、見付け片部２３３の見付け方向内端に連続して見込み方向室外側に延びる折返し片部２３４とを有して構成され、外装材３が固定片部２３２を覆うとともに見込み片部２３１に沿って見込み方向室内側に延び、その室内側端縁が見付け片部２３３に接続される。室外空間から固定片部２３２まで、および固定片部２３２から室内空間までが長距離化され、雨水の浸入を防止して止水性能が向上できるとともに、外装材３を見込み方向に折り曲げることで外観上の重厚感を高め、外壁１の外観意匠性を向上させることができる。【選択図】  図５
2005320739.tif 000002
【特許請求の範囲】
【請求項１】
建物の外壁に設けた開口部内の室内寄りに配設された窓枠体と、この窓枠体の内側に支持されたパネル体とを備えたサッシ窓であって、
前記外壁は、外壁躯体と、この外壁躯体の室外面を覆う外壁仕上げ材とを備えて構成され、
前記窓枠体は、上枠体、下枠体、および左右の縦枠体から構成され、これらの上枠体、下枠体、および縦枠体には、前記外壁の開口部に沿って見込み方向室外側に延びる見込み片部と、この見込み片部の室外側端縁に連続して前記外壁躯体の室外面に沿って延び、かつ当該外壁躯体に固定される固定片部とが設けられ、
前記上枠体および縦枠体の少なくとも１つは、前記固定片部よりも室内側にて前記見込み片部に連続して見付け方向内側に延びる見付け片部と、この見付け片部の見付け方向内端に連続して見込み方向室外側に延びる折返し片部とを有し、これらの見込み片部、見付け片部、および折返し片部から室内側に凹んだ断面略凹状の室外面が形成され、
前記上枠体および縦枠体の少なくとも１つに対応した位置の前記外壁仕上げ材は、前記窓枠体の固定片部を覆う外面部と、この外面部に連続して前記見込み片部に沿って見込み方向室内側に延びる折曲部とを有し、この折曲部の室内側端縁が前記窓枠体の見付け片部に接続されているサッシ窓。
【請求項２】
前記窓枠体は、前記外壁躯体に固定される支持枠と、この支持枠に着脱自在に取り付けられるとともに前記パネル体を支持する本窓枠とを備えて構成されており、
前記支持枠は、上支持枠、下支持枠、および左右の縦支持枠を四周枠組みして構成され、これらの上支持枠、下支持枠、および縦支持枠に前記見込み片部および固定片部が設けられ、当該上支持枠および／または縦支持枠に前記見付け片部および折返し片部が設けられ、
前記本窓枠は、上本窓枠、下本窓枠、および左右の縦本窓枠を四周枠組みして構成され、前記見付け片部および折返し片部が設けられた上支持枠および／または縦支持枠に対応した上本窓枠および／または縦本窓枠と、前記折返し片部との間には、シール材が介装されている請求項１に記載のサッシ窓。
【請求項３】
前記見付け片部および折返し片部が設けられた上支持枠および／または縦支持枠に対応した上本窓枠および／または縦本窓枠の室外側端部と、前記折返し片部の先端とは、互いに当接または近接し、この当接または近接した部分よりも室内側において、前記シール材は、前記折返し片部に取り付けられている請求項２に記載のサッシ窓。
【請求項４】
前記本窓枠は、見付け方向外側に突出した取付片部を四周に有した半外付け用サッシ枠であり、
前記支持枠における上支持枠、下支持枠、および左右の縦支持枠には、前記見付け片部よりも室内側位置にて見付け方向内側に突出した支持片部が設けられ、この支持片部に前記取付片部を係合することにより前記本窓枠が前記支持枠に取り付けられる請求項２または請求項３に記載のサッシ窓。
【請求項５】
前記支持片部と前記取付片部との間には、シール材が介装されている請求項４に記載のサッシ窓。
【請求項６】
前記窓枠体の室外側には、窓付属部材が支持部材を介して取り付けられており、
前記支持部材は、前記外壁仕上げ材と前記折返し片部との隙間に挿入されるとともに、前記見付け片部に固定されている請求項１から請求項５のいずれかに記載のサッシ窓。
【発明の詳細な説明】
【技術分野】
【０００１】
本発明は、サッシ窓に関し、詳しくは、建物の外壁開口部内の室内寄りに配設された窓枠を備えたサッシ窓に関する。
【背景技術】
【０００２】
外壁の室外面よりも見込み方向室内寄りに配設された、いわゆる内付けサッシ、およびこの内付けサッシを有して構成された外壁の構造が知られている（例えば、特許文献１参照）。
特許文献１に記載された外壁においては、外壁開口部の室内側に沿って設けられた木製の開口枠と、この開口枠に水密材（シール材）を介して固定されたアルミ形材製のサッシ窓枠と、このサッシ窓枠に支持されたガラスパネルとで内付けのサッシ窓が構成され、開口部の上および左右の三方には、外壁の外装材と同一の板厚および材質を有して断面Ｌ字形に形成された窓縁用外装材が設けられている。そして、窓縁用外装材の見込み方向に沿った側片部が開口枠の室外縁まで延び、この側片部の先端部分と、開口枠またはサッシ窓枠との間に水密材（シール材）が介装されている。
【０００３】
【特許文献１】特許第３４７７４２１号公報（図１、２）
【発明の開示】
【発明が解決しようとする課題】
【０００４】
しかしながら、前記特許文献１に記載の外壁では、外壁の室外面から室内側に入り込んだ位置に各シール材が設けられるとともに、開口枠またはサッシ窓枠と窓縁用外装材の側片部の先端部分との間のシール材が室外空間に露出して設けられているため、止水性が十分に確保できないという問題がある。すなわち、シール材の配設位置が室内空間に近いことから、劣化等によりシール材が切れた場合には、直ちに室内空間への雨水等の浸入が危惧される。さらに、室外空間に露出して設けられたシール材では、気温の変動や紫外線等の影響で劣化が早まる可能性が高く、この点からも止水性が損なわれる可能性がある。また、シール材が室外側に露出していることから、外壁の外観意匠性が劣ってしまうという問題もある。
【０００５】
本発明の目的は、止水性能を十分に確保し、かつ外観意匠性にも優れたサッシ窓を提供することにある。
【課題を解決するための手段】
【０００６】
本発明のサッシ窓は、建物の外壁に設けた開口部内の室内寄りに配設された窓枠体と、この窓枠体の内側に支持されたパネル体とを備えたサッシ窓であって、前記外壁は、外壁躯体と、この外壁躯体の室外面を覆う外壁仕上げ材とを備えて構成され、前記窓枠体は、上枠体、下枠体、および左右の縦枠体から構成され、これらの上枠体、下枠体、および縦枠体には、前記外壁の開口部に沿って見込み方向室外側に延びる見込み片部と、この見込み片部の室外側端縁に連続して前記外壁躯体の室外面に沿って延び、かつ当該外壁躯体に固定される固定片部とが設けられ、前記上枠体および縦枠体の少なくとも１つは、前記固定片部よりも室内側にて前記見込み片部に連続して見付け方向内側に延びる見付け片部と、この見付け片部の見付け方向内端に連続して見込み方向室外側に延びる折返し片部とを有し、これらの見込み片部、見付け片部、および折返し片部から室内側に凹んだ断面略凹状の室外面が形成され、前記上枠体および縦枠体の少なくとも１つに対応した位置の前記外壁仕上げ材は、前記窓枠体の固定片部を覆う外面部と、この外面部に連続して前記見込み片部に沿って見込み方向室内側に延びる折曲部とを有し、この折曲部の室内側端縁が前記窓枠体の見付け片部に接続されていることを特徴とする。
【０００７】
ここで、窓枠体の内側に支持されたパネル体としては、窓枠体に移動不能に支持されて嵌め殺し（Ｆｉｘ）窓を構成するガラスパネル等の面材であってもよく、また窓枠体に開閉可能に支持された１枚または複数枚の障子であってもよい。パネル体が障子である場合には、例えば、引き違い窓や片引き窓、開き窓、辷り出し窓等、任意の開閉形式のサッシ窓が構成可能である。
【０００８】
このような本発明によれば、建物外壁の室外面よりも見込み方向室内側に配設された内付けサッシ窓において、窓枠体の固定片部を外壁躯体の室外面に固定するので、この固定片部位置において窓枠体および外壁躯体間を止水することができる。この際、止水方法としては、固定片部と外壁躯体との間にシール材を介装させたものや、外壁躯体の表面に接着する防水シートや防水アスファルトで固定片部を覆ったものなど、一般的な止水構造が採用可能である。そして、このような止水構造は、外壁仕上げ材に覆われるため、室外空間に露出せず、気温の変動や紫外線等の影響を受けにくくなっているので、劣化が防止できるとともに、室外から見えないことで外壁の外観意匠性を損なわないようにできる。
また、窓枠体のうちの上枠体や縦枠体において、見込み片部に沿って外壁仕上げ材の折曲部を設け、この折曲部の室内側端縁を窓枠体の見付け片部に接続することで、折曲部の外側である室外空間から固定片部における止水位置までの距離、および止水位置から室内空間までの距離を、それぞれ長距離化することができ、従来のサッシ窓と比較して止水性能を向上させることができる。すなわち、外壁仕上げ材の折曲部先端と窓枠体の見付け片部との間から雨水が浸入したとしても、この雨水は窓枠体の見込み片部と外壁仕上げ材の折曲部との間を通って室外側に移動し、さらに固定片部と外壁仕上げ材との間を通って止水位置に達するまでの長い距離を移動する必要があるため、止水位置まで雨水が浸入しにくくなっている。さらに、止水位置に雨水が達したとしても、この雨水は、まず止水構造により阻止されて窓枠体と外壁躯体との間に浸入できないようになっている。さらに万一、窓枠体と外壁躯体との間に雨水が浸入したとしても、この浸入位置から室内空間までは、少なくとも外壁躯体の厚さ寸法以上の距離が隔てられているため、室内空間まで雨水が浸入する可能性をほぼ皆無にすることができる。また、止水位置が外壁仕上げ材に覆われているので、室外空間の風圧や気圧差の影響を低減することができ、この点からも室内空間への雨水の浸入を防止することができる。
【０００９】
また、窓枠体のうちの上枠体や縦枠体において、見込み片部、見付け片部、および折返し片部によって室内側に凹んだ断面略凹状の室外面を形成し、この室外面の凹みに外壁仕上げ材の折曲部を挿入し、折曲部の室内側端縁を見付け片部に接続したことで、外壁仕上げ材の折曲部の見込み寸法によって外観上の重厚感を表現することができ、外壁の外観意匠性をさらに向上させることができる。この際、上枠体や縦枠体における室外面の凹みに外壁仕上げ材の折曲部を挿入したので、折曲部の室内側端縁（木口）が室外側から見えなくできるため、この点からも意匠性を高めることができる。また、見付け片部の見込み位置および折返し片部の見込み寸法を適宜設定することで、外壁仕上げ材の折曲部の見込み寸法と、パネル体の見込み位置とが、それぞれ独立して任意に設定できる。すなわち、見付け片部の見込み位置を室内側に寄せるとともに折返し片部の見込み寸法を長くすれば、パネル体の見込み位置を変更せずに折曲部の見込み寸法を長くすることができ、見付け片部の見込み位置を変更せずに折返し片部の見込み寸法を長くすれば、折曲部の見込み寸法を変更せずにパネル体の見込み位置を室外側に変更することができる。これにより、外壁および窓の外観意匠性を良好にしつつ、外壁の厚さ寸法や、パネル体の形式、室内側の仕上げ等に応じてパネル体の見込み位置を調節することができ、サッシ窓における設計の自由度を高めることができる。
【００１０】
さらに、窓枠体に固定片部を設けたことで、この固定片部を外壁躯体の室外面に当接させることにより、見込み方向に関する窓枠体の位置決めができるとともに、固定片部と見込み片部を覆って設けられる外壁仕上げ材を精度よく施工することができる。すなわち、従来の内付けサッシ窓では、開口枠にサッシ窓枠を固定しているため、開口枠の取付位置が見込み方向にずれた場合に、このずれに伴ってサッシ窓枠の取付位置もずれてしまい、サッシ窓枠と窓縁用外装材の側片部とがうまく収まらないことがある。これに対して本発明の窓枠体では、固定片部によって外壁躯体との位置決めができるので、外壁仕上げ材と窓枠体とがずれることがなく、良好な外観を確保することができる。また、固定片部を外壁躯体の室外面に固定することで、窓枠体を外壁躯体の室外側から容易に取り付けることができ、サッシ窓の施工にかかる作業性を向上させることができる。
【００１１】
この際、本発明のサッシ窓では、前記窓枠体は、前記外壁躯体に固定される支持枠と、この支持枠に着脱自在に取り付けられるとともに前記パネル体を支持する本窓枠とを備えて構成されており、前記支持枠は、上支持枠、下支持枠、および左右の縦支持枠を四周枠組みして構成され、これらの上支持枠、下支持枠、および縦支持枠に前記見込み片部および固定片部が設けられ、当該上支持枠および／または縦支持枠に前記見付け片部および折返し片部が設けられ、前記本窓枠は、上本窓枠、下本窓枠、および左右の縦本窓枠を四周枠組みして構成され、前記見付け片部および折返し片部が設けられた上支持枠および／または縦支持枠に対応した上本窓枠および／または縦本窓枠と、前記折返し片部との間には、シール材が介装されていることが好ましい。
このような構成によれば、窓枠体を支持枠（捨て枠）および本窓枠から構成し、支持枠に対して着脱自在に本窓枠を取り付けるようにするとともに、支持枠の上支持枠や縦支持枠に見込み片部、見付け片部、および折返し片部から断面略凹状に形成された室外面を設けたので、支持枠を外壁に固定したままで外壁仕上げ材を壊すことなく本窓枠を交換することができ、改装サッシとして本発明のサッシ窓を構成することができる。また、支持枠と本窓枠とは、折返し片部の位置でシール材を介して連結されるので、止水性能を確保することができる。
【００１２】
さらに、本発明のサッシ窓では、前記見付け片部および折返し片部が設けられた上支持枠および／または縦支持枠に対応した上本窓枠および／または縦本窓枠の室外側端部と、前記折返し片部の先端とは、互いに当接または近接し、この当接または近接した部分よりも室内側において、前記シール材は、前記折返し片部に取り付けられていることが好ましい。
このような構成によれば、本窓枠の室外側端部と支持枠の折返し片部先端とが当接または近接することで、本窓枠および支持枠が一体的に見えて外観意匠性を損ねず、また当接位置よりも室内側にシール材を設けることで、室外空間にシール材が露出せず、シール材の劣化が防止できるとともに、外観意匠性も良好にすることができる。
【００１３】
また、本発明のサッシ窓では、前記本窓枠は、見付け方向外側に突出した取付片部を四周に有した半外付け用サッシ枠であり、前記支持枠における上支持枠、下支持枠、および左右の縦支持枠には、前記見付け片部よりも室内側位置にて見付け方向内側に突出した支持片部が設けられ、この支持片部に前記取付片部を係合することにより前記本窓枠が前記支持枠に取り付けられることが好ましい。
このような構成によれば、製品バリエーションや製品点数が非常に多くレギュラー製品である半外付け用サッシ枠を用いて内付けサッシ窓を構成することで、多種多様なサイズや形式の窓を安価に構成することができる。そして、半外付け用サッシ枠において通常外壁に固定するために設けられた取付片部を、支持枠の支持片部に係合させて支持枠に本窓枠を取り付けることで、半外付け用サッシ枠に対する加工の必要がなく、コスト増加を招かずに半外付け用サッシ枠を転用することができる。
【００１４】
この際、本発明のサッシ窓では、前記支持片部と前記取付片部との間には、シール材が介装されていることが好ましい。
このような構成によれば、支持枠における断面略凹状の室外面よりも室内側位置に設けられた支持片部と、本窓枠の取付片部との間で止水可能となるので、前述の止水構造や折返し片部のシール材による室外側での止水に加えて、室内側でも止水が可能になり、より一層止水性能を向上させることができる。
【００１５】
また、本発明のサッシ窓では、前記窓枠体の室外側には、窓付属部材が支持部材を介して取り付けられており、前記支持部材は、前記外壁仕上げ材と前記折返し片部との隙間に挿入されるとともに、前記見付け片部に固定されていることが好ましい。
ここで、窓付属部材としては、窓枠体およびパネル体の室外側に設けられる面格子や遮光ルーバー体、屋外ブラインド、装飾部材等が例示できる。
このような構成によれば、窓付属部材の支持部材を、外壁仕上げ材と窓枠体の折返し片部との隙間に挿入し、窓枠体の見付け片部に固定することで、この支持部材の固定部分が室外側から目立たないようにすることができ、外壁の外観意匠性を損なわずに窓付属部材を取り付けることができる。
【発明を実施するための最良の形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
〔第１実施形態〕
図１は、本発明の第１実施形態に係るサッシ窓である引違い窓１０が設けられた建物の外壁１部分を示す縦断面図である。図２は、外壁１部分を示す横断面図である。図３、４は、それぞれ引違い窓１０の上枠部分、および下枠部分を拡大して示す縦断面図である。図５は、引違い窓１０の縦枠部分を拡大して示す横断面図である。
【００１７】
図１、２において、建物の外壁１は、外壁躯体としての壁パネル２と、この壁パネル２の室外面に設けられた外壁仕上げ材としての外装材３と、壁パネル２の室内面に設けられた内部仕上げ材としての石膏ボード等の内装材４とを有して構成されている。壁パネル２は、格子状等に組んだパネル芯材と２Ａと、このパネル芯材２Ａの室外側に固定されたパネル面材２Ｂとで形成されている。また、外装材３は、壁パネル２の室外面にモルタルを所定厚さに吹きつけて形成したものでもよく、また予め板状に成形したセメント成形板等を壁パネル２の室外面に取り付けたものでもよい。この外壁１には、矩形状の開口部５が設けられており、引違い窓１０は、開口部５内における外壁１の室外面１Ａよりも見込み方向室内寄りに設けられた、いわゆる内付けサッシ窓である。この引違い窓１０の室内側には、内装材４の開口端縁の室内側を覆う木製の額縁材（ケーシング）６が四周連続して取り付けられている。
【００１８】
引違い窓１０は、上枠体１１、下枠体１２、および左右の縦枠体１３からなる窓枠体１４と、この窓枠体１４の内側に開閉自在に支持されたパネル体としての室内外一組の障子１５と、これらの障子１５の室外側に設けられた網戸１６とを有して構成されている。窓枠体１４は、壁パネル２に固定される支持枠（捨て枠）２０と、この支持枠２０に着脱自在に取り付けられた本窓枠３０とを有している。支持枠２０は、上支持枠２１、下支持枠２２、および左右の縦支持枠２３を四周枠組みして形成され、本窓枠３０は、上本窓枠３１、下本窓枠３２、および左右の縦本窓枠３３を四周枠組みして形成されている。そして、障子１５および網戸１６は、本窓枠３０の上本窓枠３１および下本窓枠３２に設けられた後述するレール部に戸車が案内され、図２の左右方向に移動可能になっている。障子１５は、四周框組した上下左右の框材１７と、これらの框材１７の内部に嵌め込んだガラスパネル１８とを有して形成されている。
【００１９】
図３に示すように、上枠体１１は、支持枠２０の上支持枠２１と、本窓枠３０の上本窓枠３１と、これらの上支持枠２１および上本窓枠３１を連結する連結部材４１と、この連結部材４１に取り付けられた下地材４２とを有して構成されている。
上支持枠２１は、アルミ押出形材製であって、外壁１の開口部５の上縁に沿って見込み方向室外側に延びる見込み片部２１１と、この見込み片部２１１の室外側端縁に連続して上方に折れ曲がり、壁パネル２の室外面に沿って延びる固定片部２１２とを有している。この固定片部２１２は、室外側からのビス７により壁パネル２に固定されるとともに、固定片部２１２と壁パネル２との間には、図示しないシール材や防水シート等を用いた止水構造が設けられている。そして、上支持枠２１は、固定片部２１２よりも室内側において見込み片部２１１から下方（見付け方向内側）に延びる見付け片部２１３と、この見付け片部２１３の下端（見付け方向内端）に連続して見込み方向室外側に延びる折返し片部２１４とを有している。この折返し片部２１４には、その先端から下方に延びる垂下片２１４Ａと、その下面において上本窓枠３１を位置決めする位置決め部２１４Ｂとが設けられている。さらに、上支持枠２１は、見付け片部２１３よりも室内側において見込み片部２１１から下方（見付け方向内側）に延びる支持片部２１５を有している。この支持片部２１５の下端部室内側には、シール材２１５Ａが取り付けられている。
【００２０】
本窓枠３０の上本窓枠３１は、室外側に配置されるアルミ押出形材製の室外部材３１Ａと、室内側に配置される樹脂製の室内部材３１Ｂとを備えて構成されている。上本窓枠３１の室外部材３１Ａは、上支持枠２１の見込み片部２１１に対向して室内外に延びる上面部３１１と、この上面部３１１から下方に延出して室外側の障子１５の上框を案内するレール部３１２および網戸１６の上框を案内する網戸レール部３１３と、上面部３１１の室内側端部から上方（見付け方向外側）に突出し、上支持枠２１の支持片部２１５の室内側に沿って延びる取付片部３１４とを有している。また、上本窓枠３１の室内部材３１Ｂは、室外部材３１Ａのレール部３１２に係合され、かつ室外部材３１Ａにビス止め固定されており、これらの室外部材３１Ａおよび室内部材３１Ｂが、ビス３１５で連結部材４１および下地材４２に固定されている。そして、室内部材３１Ｂは、下方に延出して室内側の障子１５の上框を案内するレール部３１６と、内装材４の開口端縁と所定の間隔を有して室内側に延びる係止片部３１７とを有している。この係止片部３１７と内装材４の開口端縁との間には、額縁材６を支持するためのケーシングアタッチメント４３が係止片部３１７にビス止め固定されている。このケーシングアタッチメント４３には、室内側に開口した凹溝部４３Ａが形成されており、この凹溝部４３Ａに額縁材６の突出部６Ａが挿入されて額縁材６が取り付けられている。
【００２１】
一方、上支持枠２１および上本窓枠３１を連結する連結部材４１は、室内側に向かって開口した断面略コ字形の金属製ピース材であって、ビス４４によって壁パネル２の芯材２Ａに固定されている。さらに、連結部材４１の室外側の一辺を貫通するビス４５によって、上本窓枠３１の取付片部３１４および上支持枠２１の支持片部２１５が係合され、上本窓枠３１が上支持枠２１に取り付けられている。そして、このビス４５を締め付けることで、取付片部３１４および支持片部２１５が圧接され、支持片部２１５のシール材２１５Ａが取付片部３１４に密接するようになっている。また、連結部材４１に取り付けられた下地材４２は、連結部材４１のコ字形断面内に収まる矩形断面を有した木製部材であり、引違い窓１０の見付け方向幅寸法を略同一の長さ寸法を有している。この下地材４２は、内装材４を釘打ち等で固定するための下地として機能するとともに、連結部材４１に嵌め込むことで連結部材４１の剛性を高め、さらに断熱材としても有効に機能するようになっている。
【００２２】
以上のような上枠体１１において、上支持枠２１の見込み片部２１１、見付け片部２１３、および折返し片部２１４によって、室内側に凹んだ断面略凹状の室外面１１Ａが形成されている。そして、上枠体１１における外装材３は、上支持枠２１の固定片部２１２を覆う外面部３Ａと、この外面部３Ａに連続して室内側に折れ曲がり、上支持枠２１の見込み片部２１１に沿って見込み方向室内側に延びる折曲部３Ｂとを有して形成されている。この折曲部３Ｂは、その室内側端縁が上支持枠２１の見付け片部２１３に当接して位置決めされ、これにより折曲部３Ｂと見付け片部２１３とが接続されている。また、折曲部３Ｂの下面と上支持枠２１の折返し片部２１４との間には、隙間１１Ｂが設けられている。
【００２３】
次に、図４に示すように、下枠体１２は、支持枠２０の下支持枠２２と、本窓枠３０の下本窓枠３２と、これらの下支持枠２２および下本窓枠３２を連結する前述と同様の連結部材４１と、下地材４２とを有して構成されている。
下支持枠２２は、アルミ押出形材製であって、外壁１の開口部５の下縁に沿って見込み方向室外側に延びる見込み片部２２１と、この見込み片部２１１に連続して下方に延び、壁パネル２の室外面に沿って延びる固定片部２２２と、見込み片部２２１に連続して固定片部２２２よりも室外側に延びる水切り片部２２３とを有している。固定片部２２２は、前述の上支持枠２１の固定片部２１２と同様に、室外側からのビス７により壁パネル２に固定されるとともに、固定片部２２２と壁パネル２との間に止水構造が設けられている。そして、下支持枠２２は、固定片部２２２よりも室内側において見込み片部２２１から下方に延びる２つの載置片部２２４を有し、この載置片部２２４によって壁パネル２に載置されている。さらに、下支持枠２２は、室外側の載置片部２２４の上方に延びる見付け片部２２５と、室内側の載置片部２２４の上方に延びる支持片部２２６とを有している。見付け片部２２５の基端部には、見付け片部２２５と支持片部２２６との間の等圧空間２２７に浸入した雨水等を室外空間に排出する排水弁２２５Ａが設けられている。また支持片部２２６の上端部室内側には、シール材２２６Ａが取り付けられている。
【００２４】
本窓枠３０の下本窓枠３２は、それぞれアルミ押出形材製の室外部材３２Ａおよび室内部材３２Ｂと、これらを連結する樹脂製の断熱部材３２Ｃとを備えて構成されている。下本窓枠３２の室外部材３２Ａは、下支持枠２２の見込み片部２２１に対向して室内外に延びる底面部３２１と、この底面部３２１の上方に対向する上面部３２２と、この上面部３２２から上方に延出して室外側の障子１５の戸車を案内するレール部３２３および網戸１６の戸車を案内する網戸レール部３２４と、底面部３２１の室内側端部から下方（見付け方向外側）に突出し、下支持枠２２の支持片部２２６の室内側に沿って延びる取付片部３２５とを有している。そして、室外部材３２Ａの底面部３２１下面には、下支持枠２２の見付け片部２２５上端が当接し、等圧空間２２７が閉鎖されるようになっている。また、下本窓枠３２の室内部材３２Ｂは、連結部材４１上に載置されるとともに、上方に延出して室内側の障子１５の戸車を案内するレール部３２６と、内装材４の開口端縁と所定の間隔を有して室内側に延びる係止片部３２７とを有している。この係止片部３２７と内装材４の開口端縁との間には、前述の上本窓枠３１と同様に、額縁材６を支持するためのケーシングアタッチメント４３が係止片部３２７にビス止め固定されている。
【００２５】
一方、下支持枠２２および下本窓枠３２を連結する連結部材４１は、前述の上枠体１１の連結部材４１と同様の部材であって、連結部材４１の室外側の一辺を貫通するビス４５によって、下支持枠２２の室内側の載置片部２２４に係合されている。そして、連結部材４１と下支持枠２２の支持片部２２６との間に、下本窓枠３２の取付片部３２５が挿入されることで、下本窓枠３２が下支持枠２２に取り付けられ、支持片部２２６のシール材２２６Ａが取付片部３２５に密接するようになっている。また、連結部材４１に取り付けられた下地材４２は、前述の上枠体１１の下地材４２と同様の部材であって、内装材４を釘打ち等で固定するための下地として機能するとともに、連結部材４１に嵌め込むことで連結部材４１の剛性を高め、さらに断熱材としても有効に機能するようになっている。
以上のような下枠体１２において、外装材３は、下支持枠２２の固定片部２２２を覆う外面部３Ａを有し、この外面部３Ａは、下支持枠２２の水切り片部２２３の底面に当接して位置決めされている。すなわち、水切り片部２２３は、外壁１の室外面１Ａよりも室外側に突出して設けられている。
【００２６】
次に、図５に示すように、縦枠体１３は、支持枠２０の縦支持枠２３と、本窓枠３０の縦本窓枠３３と、これらの縦支持枠２３および縦本窓枠３３を連結する連結部材４１と、この連結部材４１に取り付けられた下地材４２とを有して構成されている。
縦支持枠２３は、アルミ押出形材製であって、外壁１の開口部５の上縁に沿って見込み方向室外側に延びる見込み片部２３１と、この見込み片部２３１の室外側端縁に連続して側方（見付け方向外側）に折れ曲がり、壁パネル２の室外面に沿って延びる固定片部２３２とを有している。この固定片部２３２は、室外側からのビス７により壁パネル２に固定されるとともに、固定片部２３２と壁パネル２との間には、図示しないシール材や防水シート等を用いた止水構造が設けられている。そして、縦支持枠２３は、固定片部２３２よりも室内側において見込み片部２３１から見付け方向内側に延びる見付け片部２３３と、この見付け片部２３３の見付け方向内端に連続して見込み方向室外側に延びる折返し片部２３４とを有している。この折返し片部２３４の基端部には、見付け方向内端に突出するシール材２３４Ａが設けられている。さらに、縦支持枠２３は、見付け片部２３３よりも室内側において見込み片部２３１から見付け方向内側に延びる支持片部２３５を有している。この支持片部２３５の先端部には、シール材２３５Ａが取り付けられている。
【００２７】
本窓枠３０の縦本窓枠３３は、室外側に配置されるアルミ押出形材製の室外部材３３Ａと、室内側に配置される樹脂製の室内部材３３Ｂとを備えて構成されている。縦本窓枠３３の室外部材３３Ａは、縦支持枠２３の見込み片部２３１に対向して室内外に延びる側面部３３１と、この側面部３３１から見付け方向内側に延出して室外側の障子１５の縦框を案内する引寄せ片３３２および網戸１６の縦框を案内する係止片３３３と、側面部３３１の室内側よりの位置から見付け方向外側に突出し、縦支持枠２３の支持片部２３５の室内側に沿って延びる取付片部３３４とを有している。そして、室外部材３３Ａの室外側端部には、見付け方向外側に突出し、縦支持枠２３の折返し片部２３４に当接または近接する突出片部３３６が設けられており、この突出片部３３６の室内側位置において折返し片部２３４のシール材２３４Ａが側面部３３１に当接している。また、縦本窓枠３３の室内部材３３Ｂは、室外部材３３Ａにビス止めされるとともに、ビス３３５で連結部材４１および下地材４２に固定されている。そして、室内部材３３Ｂは、室外側の障子１５の縦框室内側面に当接するシール材３３７と、内装材４の開口端縁と所定の間隔を有して室内側に延びる係止片部３３８とを有している。この係止片部３３８と内装材４の開口端縁との間には、前述の上本窓枠３１および下本窓枠３２と同様に、額縁材６を支持するためのケーシングアタッチメント４３が係止片部３３８にビス止め固定されている。
【００２８】
一方、縦支持枠２３および下本窓枠３３を連結する連結部材４１は、前述の上枠体１１および下枠体１２の連結部材４１と同様の部材であって、連結部材４１の室外側の一辺を貫通するビス４５によって、縦本窓枠３３の取付片部３３４および縦支持枠２３の支持片部２３５に係合されている。そして、このビス４５を締め付けることで、取付片部３３４および支持片部２３５が圧接され、支持片部２３５のシール材２３５Ａが取付片部３３４に密接するようになっている。また、連結部材４１に取り付けられた下地材４２は、前述の上枠体１１および下枠体１２の下地材４２と同様の部材であって、内装材４を釘打ち等で固定するための下地として機能するとともに、連結部材４１に嵌め込むことで連結部材４１の剛性を高め、さらに断熱材としても有効に機能するようになっている。
【００２９】
以上のような縦枠体１３において、縦支持枠２３の見込み片部２３１、見付け片部２３３、および折返し片部２３４によって、室内側に凹んだ断面略凹状の室外面１３Ａが形成されている。そして、縦枠体１３における外装材３は、縦支持枠２３の固定片部２３２を覆う外面部３Ａと、この外面部３Ａに連続して室内側に折れ曲がり、縦支持枠２３の見込み片部２３１に沿って見込み方向室内側に延びる折曲部３Ｂとを有して形成されている。この折曲部３Ｂは、その室内側端縁が縦支持枠２３の見付け片部２３３に当接して位置決めされ、これにより折曲部３Ｂと見付け片部２３３とが接続されている。また、折曲部３Ｂの室外側面と縦支持枠２３の折返し片部２３４との間には、隙間１３Ｂが設けられている。
【００３０】
次に、引違い窓１０における止水構造について説明する。
まず、上枠体１１および縦枠体１３において、上支持枠２１および縦支持枠２３の見込み片部２１１，２３１、見付け片部２１３，２３３、および折返し片部２１４，２３４が連続しているため、この断面略凹状の室外面１１Ａ，１３Ａから室内側に雨水等が浸入することがない。また、外装材３の折曲部３Ｂと見込み片部２１１，２３１とが当接されているため、これらの間に雨水等が浸入しにくくなっているが、折曲部３Ｂと見込み片部２１１，２３１との間に雨水が浸入したとしても、この雨水は折曲部３Ｂと見込み片部２１１，２３１との間を通って室外側に移動し、さらに固定片部２１２，２３２に沿って回り込む長い距離を移動する必要がある。このため、固定片部２１２，２３２と壁パネル２との止水位置に達するまでの距離が十分に長いので、止水位置まで雨水が浸入する心配がほぼ皆無である。なお万一、固定片部２１２，２３２の止水位置から室内側に雨水が浸入したとしても、浸入位置から室内空間までは、少なくとも壁パネル２の厚さ寸法以上の距離が隔てられているため、室内空間まで雨水が浸入することがない。
【００３１】
また、室外側における縦支持枠２３と縦本窓枠３３との間には、縦支持枠２３の折返し片部２３４に設けたシール材２３４Ａが縦本窓枠３３に当接しているため、この位置からの雨水等の浸入が防止されている。さらに、シール材２３４Ａを越えて縦支持枠２３と縦本窓枠３３との間に雨水が浸入したとしても、この雨水は、縦支持枠２３の支持片部２３５と縦本窓枠３３の取付片部３３４との間のシール材２３５Ａに阻まれ、室内側に浸入しないようになっている。そして、縦支持枠２３と縦本窓枠３３との間に浸入した雨水は、下方に落下して下枠体１２の等圧空間２２７に達し、下支持枠２２に設けた排水弁２２５Ａから室外空間に排水されるようになっている。これと同様に上枠体１１においても、上支持枠２１と上本窓枠１３との間に浸入した雨水は、上支持枠２１の支持片部２１５と上本窓枠３１の取付片部３１４との間のシール材２１５Ａに阻まれ、室内側に浸入しなようになっている。
【００３２】
一方、下枠体１２において、下支持枠２２の水切り片部２２３が外壁１の室外面１Ａよりも室外側に突出し、さらに水切り片部２２３の先端部が外装材３の上端よりも下方まで曲げ下げられているため、外装材３と下支持枠２２との間から室内側に雨水等が浸入することがない。また、外装材３と下支持枠２２との間から雨水が浸入したとしても、この雨水は、下支持枠２２の固定片部２１２と壁パネル２との止水位置で阻止され、空間まで雨水が浸入することがない。また、下支持枠２２と下本窓枠３２との間の等圧空間２２７に雨水が浸入した場合には、この雨水は、下支持枠２２の支持片部２２６と下本窓枠３２の取付片部３２５との間のシール材２２６Ａに阻まれ、室内側に浸入しないようになっている。そして、等圧空間２２７に浸入した雨水は、下支持枠２２の見付け片部２２５に設けられた排水弁２２５Ａから室外空間に排水されるようになっている。
【００３３】
次に、引違い窓１０の改装方法について、図６に基づいて説明する。
図６は、引違い窓１０の改装方法を説明する縦断面図である。
引違い窓１０における本窓枠３０は、見付け方向外側に突出した取付片部３１４，３２５，３３４を四周に有した半外付け用サッシ枠である。すなわち、本窓枠３０は、支持枠２０を介さずに取付片部３１４，３２５，３３４を壁パネル２の室外面に直接固定することで、外壁面から室外側に突出した半外付けのサッシ窓が構成できるようになっている。このような半外付け用サッシ枠は、一般的に用いられており、その製品バリエーションや製品点数が非常に多く、本実施形態の引違い窓形式の他に、嵌め殺し窓や片引き窓、開き窓、辷り出し窓等の多数の形式のものに利用可能である。つまり、本実施形態においては、本窓枠３０は、支持枠２０に対して着脱可能に取り付けられており、この本窓枠３０を交換することによって、各種形式の窓に改装する、あるいは新しい窓に交換することができるようになっている。
【００３４】
図６において、本窓枠３０を支持枠２０から取り外すにあたり、先ず、額縁材６を取り外すとともに内装材４の開口周縁の一部を切り欠いてから、切り欠いた下地材４２を取り外す。次に、窓枠体の四周において、連結部材４１を壁パネル２に固定しているビス４４（図３〜５）、および連結部材４１と本窓枠３０および支持枠２０とを連結しているビス４５を外し、連結部材４１を窓枠体から取り外す。これにより、本窓枠３０が支持枠２０から取り外し可能になる。
次に、本窓枠３０の上本窓枠３１側を室内側に倒しながら、上方に持ち上げて本窓枠３０を支持枠２０から室内側に取り外す。そして、以上の手順と逆の手順で新たな本窓枠３０を、取付片部３１４，３２５，３３４を支持枠２０の支持片部２１５，２２６，２３５のシール材２１５Ａ，２２６Ａ，２３５Ａに当接させて取り付け、連結部材４１、下地材４２、内装材４、および額縁材６の順に取り付けることで改装が完了する。
この際、本窓枠３０の取り外しおよび取り付けの作業は、室内側から実施でき、外装材３および支持枠２０を壊したり、取り外したりする必要がない。従って、改装作業の手間がかからず、また、高層建物等のように室外側からの作業が困難な場合であっても容易に改装作業ができるようになっている。
【００３５】
次に、本実施形態における引違い窓１０の変形例について、図７〜１１に基づいて説明する。
図７〜１１は、それぞれ本実施形態の変形例に係る引違い窓１０の縦枠部分を拡大して示す横断面図である。
各変形例において、引違い窓１０が支持枠２０および本窓枠３０から構成される窓枠体１４を備えている点、これらの支持枠２０および本窓枠３０の構造は、前述と略同様であり、外壁１の構造が前述と相違している。相違点について以下に詳しく説明する。
【００３６】
図７において、外壁１は、その厚さ寸法が前述の図５の場合よりも大きくなっており、引違い窓１０が開口部５における見込み方向の略中間位置に配設されている。この際、引違い窓１０は、外壁１の室外面１Ａに対しては、前述の場合と同様に、見込み方向室内側に寄った位置に配設されている。従って、本変形例においては、室外側の外装材３と窓枠体（支持窓枠２０および本窓枠３０）との位置関係は、前述と同一であり、室内側の内装材４、下地材４２、およびケーシングアタッチメントが相違している。
すなわち、下地材４２は、室内外方向に長い断面長方形状に形成されて連結部材４１に嵌め込まれている。また、前述のケーシングアタッチメント４３に代えて、額縁材６と同質の木製アタッチメント４６が、下地材４２と縦本窓枠３３の室内部材３３Ｂの係止片部３３８との間に固定されている。そして、木製アタッチメント４６の室内側に設けられた凹溝部４６Ａに額縁材６の突出部６Ａが挿入されている。
【００３７】
図８において、外壁１の外装材３における引違い窓１０との取り合い部分は、プレキャストのセメント成形板あるいはＰＣ板からなるコーナー外装材３Ｃで構成されている。このコーナー外装材３Ｃは、一般部分のモルタル吹きつけによる外装材３Ｄにシール材３Ｅを介して連結されている。そして、コーナー外装材３Ｃにより支持枠２０の固定片部２３２を覆う外面部３Ａと、見込み片部２３１に沿って見込み方向室内側に延びる折曲部３Ｂとが構成されている。また、支持枠２０の見込み片部２３１には、コーナー外装材３Ｃを固定するための突片２３６が２箇所に設けられ、見付け片部２３３には、コーナー外装材３Ｃの折曲部３Ｂを位置決めするための突片２３７が設けられている。そして、コーナー外装材３Ｃは、外面部３Ａがビス８により壁パネル２に固定されるとともに、折曲部３Ｂがビス８により支持枠２０の突片２３６に固定されている。また、折曲部３Ｂの室内側端縁は、支持枠２０の見付け片部２３３と突片２３７とに当接されるとともに、シール材３Ｆを介して見付け片部２３３に接続されている。
【００３８】
図９において、外壁１の外装材３は、室外面にモルタル等の意匠面が形成されたサイディング等のパネル材３Ｇで構成され、パネル材３Ｇ同士がシール材３Ｈを介して接続されている。そして、外装材３の外面部３Ａは、室外面１Ａに沿ったパネル材３Ｇで構成され、折曲部３Ｂは、見込み方向に沿ったパネル材３Ｇで構成されている。そして、折曲部３Ｂのパネル材３Ｇは、ビス８により支持枠２０の突片２３６に固定され、その室内側端縁は、支持枠２０の見付け片部２３３と突片２３７とに当接されるとともに、シール材３Ｆを介して見付け片部２３３に接続されている。
【００３９】
図１０において、外装材３は、外壁１の室外面１Ａに沿った部分である外面部３Ａが前述の図５の場合と同様にモルタル吹きつけ等により構成され、折曲部３Ｂがアルミ形材製の外装下地材３Ｉで構成され、これらがシール材３Ｊを介して接続されている。そして、外装材３の室外面には、吹き付け塗装等が施され、外観上は、外装下地材３Ｉやシール材３Ｊ等が見えないようになっている。外装下地材３Ｉは、支持枠２０の突片２３６，２３７に係合して固定され、その室内側端縁が見付け片部２３３に接続されている。
【００４０】
図１１において、外装材３は、外面部３Ａおよび折曲部３Ｂが前述の図５の場合と同様にモルタル吹きつけ等により構成され、折曲部３Ｂの外装材３は、木製の外装下地材３Ｋおよび見切り材３Ｌを介して支持枠２０に接続されている。外装下地材３Ｋは、ビス８により支持枠２０の突片２３６に固定され、見切り材３Ｌは、釘打ち等により外装下地材３Ｋに固定されている。そして、外装材３の折曲部３Ｂの室内側端縁は、支持枠２０の見付け片部２３３に当接して接続されている。
【００４１】
このような本実施形態によれば、以下のような効果がある。
（１）すなわち、上枠体１１および縦枠体１３において、見込み片部２１１，２３１に沿って外装材３の折曲部３Ｂが設けられ、この折曲部３Ｂの室内側端縁を見付け片部２１３，２３３に接続することで、室外空間から固定片部２１２，２３２の止水位置までの距離、および止水位置から室内空間までの距離を、それぞれ長距離化することができ、止水性能を向上させることができる。
【００４２】
（２）また、上枠体１１、下枠体１２、および縦枠体１３の固定片部２１２，２２２，２３２における止水構造は、外装材３の外面部３Ａに覆われるため、室外空間に露出せず、気温の変動や紫外線等の影響を受けにくくなっているので、劣化が防止できるとともに、室外から見えないことで外壁１の外観意匠性を損なわないようにできる。
【００４３】
（３）さらに、上枠体１１および縦枠体１３において、見込み片部２１１，２３１、見付け片部２１３，２３３、および折返し片部２１４，２３４によって室内側に凹んだ断面略凹状の室外面１１Ａ，１３Ａを形成し、この室外面１１Ａ，１３Ａの凹みに外装材３の折曲部３Ｂを挿入したことで、折曲部３Ｂの見込み寸法によって外観上の重厚感を表現することができ、外壁の外観意匠性を向上させることができる。この際、折曲部３Ｂの室内側端縁（木口）が室外側から見えなくできるので、この点からも意匠性を高めることができる。
【００４４】
（４）また、上枠体１１および縦枠体１３において、見付け片部２１３，２３３の見込み位置および折返し片部２１４，２３４の見込み寸法を適宜設定することで、外装材３の折曲部３Ｂの見込み寸法と、本窓枠３０の見込み位置とが、それぞれ独立して任意に設定できるので、外壁１の厚さ寸法や、窓形式、室内側の仕上げ等に応じて本窓枠３０の見込み位置を調節することができ、サッシ窓における設計の自由度を高めることができる。
【００４５】
（５）さらに、支持枠２０の上支持枠２１、下支持枠２２、および縦支持枠２３に固定片部２１２，２２２，２３２を設けたことで、この固定片部２１２，２２２，２３２を壁パネル２の室外面に当接させることにより、見込み方向に関する窓枠体１４の位置決めができるとともに、固定片部２１２，２２２，２３２と見込み片部２１１，２２１，２３１を覆って設けられる外装材３を精度よく施工することができる。また、固定片部２１２，２２２，２３２を壁パネル２の室外面に固定することで、支持枠２０を室外側から容易に取り付けることができ、サッシ窓の施工にかかる作業性を向上させることができる。
【００４６】
（６）また、窓枠体１４を支持枠２０および本窓枠３０から構成し、支持枠２０に対して着脱自在に本窓枠３０を取り付け可能にし、支持枠２０に固定片部２１２，２２２，２３２を設けて壁パネル２に固定したので、支持枠２０を外壁１に固定したままで本窓枠３０を交換することができ、サッシ窓を改装サッシとして構成することができる。さらに、上支持枠２１および縦支持枠２３に見込み片部２１１，２３１、見付け片部２１３，２３３、および折返し片部２１４，２３４から断面略凹状に形成された室外面１１Ａ，１３Ａを設けたので、外装材３を壊すことなく本窓枠３０を交換することができる。
【００４７】
（７）さらに、室外側における縦支持枠２３と縦本窓枠３３との間には、縦支持枠２３の折返し片部２３４に設けたシール材２３４Ａを介して連結されるので、止水性能を確保することができる。さらに、縦枠体１３における縦本窓枠３３の室外側端部の突出片部３３６と縦支持枠２３の折返し片部２３４先端とが当接または近接することで、これらが一体的に見えて外観意匠性を損ねず、また当接または近接する位置よりも室内側にシール材２３４Ａが設けられているので、室外空間にシール材２３４Ａが露出せず、シール材２３４Ａの劣化が防止できるとともに、外観意匠性も良好にすることができる。
【００４８】
（８）また、上支持枠２１、下支持枠２２、および縦支持枠２３と、上本窓枠３１、下本窓枠３２、および縦本窓枠３３との間には、支持片部２１５，２２６，２３５にシール材２１５Ａ，２２６Ａ，２３５Ａが設けられ、取付片部３１４，３２５，３３４に当接しているので、止水性能をさらに向上させることができる。
【００４９】
（９）また、本窓枠３０を製品バリエーションや製品点数が非常に多い半外付け用サッシ枠を用いて構成したことで、多種多様なサイズや形式の窓を安価に構成することができる。そして、半外付け用サッシ枠において通常外壁に固定するために設けられた取付片部３１４，３２５，３３４を、支持枠２０の支持片部２１５，２２６，２３５に係合させて支持枠２０に本窓枠３０を取り付けることで、半外付け用サッシ枠に対する加工の必要がなく、コスト増加を招かずに半外付け用サッシ枠を本窓枠３０として転用することができる。
【００５０】
〔第２実施形態〕
次に、本発明の第２実施形態に係るサッシ窓について、図１２、１３に基づいて説明する。図１２は、サッシ窓が設けられた建物の外壁１部分を示す縦断面図である。図１３は、外壁１部分を示す横断面図である。
本実施形態の外壁１およびサッシ窓である引違い窓１０は、前述の第１実施形態と同様の構成を備えている。そして、本実施形態において、引違い窓１０の室外側に窓付属部材としての面格子５０が設けられている点が前述の第１実施形態と相違する。相違点について以下に詳しく説明する。
なお、窓付属部材としては、面格子５０に限らず、遮光ルーバー体、屋外ブラインド、装飾部材等であってもよい。
【００５１】
面格子５０は、上下に延びて所定のピッチ（例えば、１００mm間隔）で左右に並べて設けられた複数の縦格子材５１と、これら複数の縦格子材５１に渡って設けられて縦格子材５１同士を連結する上下２本の横材５２と、この横材５２を引違い窓１０に固定する支持部材５３および連結アングル５４とを備え、引違い窓１０の縦枠体１３に支持されている。縦格子材５１は、外壁１の開口部５の上下寸法と略同一の長さ寸法を有したアルミ中空形材であって、室内側からのビス止めや溶接等によって横材５２に連結されている。横材５２は、外壁１の開口部５の左右寸法と略同一の長さ寸法を有したアルミ中空形材である。そして、横材５２には、連結アングル５４を介して支持部材５３が固定されている。支持部材５３および連結アングル５４は、それぞれ断面略Ｌ字形のアルミ製またはＳＵＳ製であって、支持部材５３は、室内外に延出する延出片部５３Ａと、この延出片部５３Ａの室内端に連続して折れ曲がった折曲片部５３Ｂとを有して形成されている。連結アングル５４は、横材５２に沿って延び横材５２に固定される第１片部５４Ａと、支持部材５３の延出片部５３Ａに沿って延び支持部材５３に固定される第２片部５４Ｂとを有して形成されている。
【００５２】
支持部材５３の室内側端部は、外壁１における外装材３の折曲部３Ｂと、縦枠体１３における縦支持枠２３の折返し片部２３４との間に形成された隙間１３Ｂに挿入されている。そして、支持部材５３の折曲片部５３Ｂは、縦支持枠２３の見付け片部２３３にビス５５によって固定されている。また、支持部材５３の延出片部５３Ａは、外装材３の折曲部３Ｂに沿って室外側に延び、外壁１の外面部１Ａよりも室外側に突出した位置に連結アングル５４の第２片部５４Ｂがビス止め固定されている。
【００５３】
このような本実施形態によれば、前述の効果と略同様の効果に加え、以下の効果を奏することができる。
（10）すなわち、面格子５０の支持部材５３が、外装材３の折曲部３Ｂと縦枠体１３の折返し片部２３４との隙間１３Ｂに挿入され、支持部材５３の折曲片部５３Ｂが縦枠体１３の見付け片部２３３に固定されているので、この支持部材５３の固定部分、つまりビス５５が室外側から目立たないようにすることができ、外壁１の外観意匠性を損なわずに面格子５０を取り付けることができる。
【００５４】
なお、本発明は、前記各実施形態に限定されるものではなく、本発明の目的を達成できる他の構成等を含み、以下に示すような変形等も本発明に含まれる。
例えば、前記実施形態の引違い窓１０では、窓枠体１４を支持枠２０および本窓枠３０とで構成した、つまり上枠体１１を上支持枠２１および上本窓枠３１で構成し、下枠体１２を下支持枠２２および下本窓枠３２で構成し、左右の縦枠体１３を縦支持枠２３および縦本窓枠３３で構成したが、これに限らず、上枠体１１、下枠体１２、および左右の縦枠体１３をそれぞれ一体の枠部材から構成してもよい。
また、窓枠体１４を支持枠２０および本窓枠３０とで構成した場合でも、支持枠２０の上支持枠２１および左右の縦支持枠２３に室内側に凹んだ断面略凹状の室外面１１Ａ，１３Ａを形成するものに限らず、本窓枠３０の上本窓枠３１や縦本窓枠３３に断面略凹状の室外面を形成してもよい。
【００５５】
また、前記実施形態では、室内外一対の障子１５を備えた引違い窓１０について説明したが、これに限らず、嵌め殺し窓でもよく、また片引き窓や、開き窓、辷り出し窓等、任意の開閉形式のサッシ窓が構成可能である。
また、窓枠体１４に設けた見込み片部２１１，２２１，２３１の見込み寸法は、本窓枠３０の見込み位置や、外装材３の折曲部３Ｂの見込み寸法が、外観上や使用上良好となる範囲で任意に設定可能である。さらに折返し片部２１４，２３４の見込み寸法についても、本窓枠３０の見込み位置との関係や、外装材３の折曲部３Ｂとの収まり、止水性能等に基づいて、適宜設定することができる。
【００５６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５７】
【図１】本発明の第１実施形態に係るサッシ窓が設けられた建物の外壁部分を示す縦断面図である。
【図２】前記外壁部分を示す横断面図である。
【図３】前記サッシ窓の上枠部分を拡大して示す縦断面図である。
【図４】前記サッシ窓の下枠部分を拡大して示す縦断面図である。
【図５】前記サッシ窓の縦枠部分を拡大して示す横断面図である。
【図６】前記サッシ窓の改装方法を説明する縦断面図である。
【図７】前記実施形態の変形例に係るサッシ窓の縦枠部分を拡大して示す横断面図である。
【図８】前記実施形態の変形例に係るサッシ窓の縦枠部分を拡大して示す横断面図である。
【図９】前記実施形態の変形例に係るサッシ窓の縦枠部分を拡大して示す横断面図である。
【図１０】前記実施形態の変形例に係るサッシ窓の縦枠部分を拡大して示す横断面図である。
【図１１】前記実施形態の変形例に係るサッシ窓の縦枠部分を拡大して示す横断面図である。
【図１２】本発明の第２実施形態に係るサッシ窓が設けられた建物の外壁部分を示す縦断面図である。
【図１３】前記外壁部分を示す横断面図である。
【符号の説明】
【００５８】
１…外壁、１Ａ…室外面、２…外壁躯体である壁パネル、３…外壁仕上げ材である外装材、３Ａ…外面部、３Ｂ…折曲部、５…開口部、１０…サッシ窓である引違い窓、１１…上枠体、１２…下枠体、１３…縦枠体、１４…窓枠体、１５…パネル体である障子、２０…支持枠、２１…上支持枠、２２…下支持枠、２３…縦支持枠、３０…本窓枠、３１…上本窓枠、３２…下本窓枠、３３…縦本窓枠、５０…窓付属部材である面格子、５３…支持部材、１１Ａ，１３Ａ…室外面、１１Ｂ，１３Ｂ…隙間、２１１，２２１，２３１…見込み片部、２１２，２２２，２３２…固定片部、２１３，２３３…見付け片部、２１４，２３４…折返し片部、２１５，２２６，２３５…支持片部、２１５Ａ，２２６Ａ，２３４Ａ，２３５Ａ…シール材、３１４，３２５，３３４…取付片部。
【図１】
2005320739.tif 000003
【図２】
2005320739.tif 000004
【図３】
2005320739.tif 000005
【図４】
2005320739.tif 000006
【図５】
2005320739.tif 000007
【図６】
2005320739.tif 000008
【図７】
2005320739.tif 000009
【図８】
2005320739.tif 000010
【図９】
2005320739.tif 000011
【図１０】
2005320739.tif 000012
【図１１】
2005320739.tif 000013
【図１２】
2005320739.tif 000014
【図１３】
2005320739.tif 000015